(57)【要約】【課題】ベースハウジングにスライドハウジングが移動可能に設置されたカード用コネクタであって、小型化、低背化等に対応し易く、また、接続の信頼性を向上できる構成のカード用コネクタを提供する。【解決手段】スライドハウジング３０には、カード収容空洞４０に臨んでカード７０の接点と係合可能とした端子４３が設けられている。ベースハウジング１０には、スライドハウジング３０が接続位置にスライドした時に、スライドハウジング３０の端子４３と係合する端子１４が設けられている。また、スライドハウジング３０に、ベースハウジング１０に設けられた係合肩と係合して、スライドを制限するロック片８４と、カード収容空洞４０に側方から突出してカード７０の側端面と摺接可能とした突部８３とを有するロック端子８０が設けられている。スライドハウジング３０にカード７０を挿入して、カード７０の接点と端子４３が係合した時に、カード７０の側端面が突部８３をカード収容空洞４０から押し出しロック片８４を係合肩から外してスライドの制限を解除する。【選択図】　図１
2004031151.tif 000002
【特許請求の範囲】
【請求項１】
ベースハウジング１０と、このベースハウジング１０上に、カード７０の挿入位置と接続位置の間でスライド可能に搭載されたスライドハウジング３０とで構成され、
前記スライドハウジング３０には、カード収容空洞４０が設けられていると共に、カード収容空洞４０に臨んでカード７０の接点７１と係合可能としたコンタクト片４６と、スライドハウジング３０の外部に配置されるコンタクト片４５を備えた端子４３が設けられており、
前記ベースハウジング１０には、前記スライドハウジング３０が接続位置にスライドした時に、スライドハウジング３０の外部に配置されたコンタクト片４５と係合するコンタクト片１６を有する端子１４が設けられていると共に、
前記スライドハウジング３０に、ベースハウジング１０に設けられた係合肩２３と係合して、挿入位置にあるスライドハウジング３０が接続位置側へスライドするのを制限するロック片８４と、前記カード収容空洞４０に側方から突出してカード７０の側端面と摺接可能とした突部８３とを有するロック端子８０が設けられており、
挿入位置にあるスライドハウジング３０にカード７０を挿入して、カード７０の接点７１と前記コンタクト片４６が係合した時に、カード７０の側端面が前記ロック端子８０の突部８３をカード収容空洞４０から押し出してロック端子８０を弾性変形させ、ロック端子８０のロック片８４が前記係合肩２３から外れてスライドの制限を解除するようにしたことを特徴とするカード用コネクタ。
【請求項２】
前記ロック端子８０のロック片８４は、スライドハウジング３０を貫通してベースハウジング１０側に突出し、ベースハウジング１０に形成された逆Ｌ字形のスライド溝２２に収容され、逆Ｌ字形のスライド溝２２の短溝部分２２ｂの内壁が前記係合肩２３を構成している請求項１に記載のカード用コネクタ。
【請求項３】
前記ベースハウジング１０とスライドハウジング３０の間には、スライドハウジング３０が前記挿入位置と接続位置の間をスライドする途中で付勢方向が反転するばね部材９０で連結され、スライドの後半がばね部材９０の付勢力で行われる請求項１または２に記載のカード用コネクタ。
【請求項４】
前記ばね部材は、トグルばね９０とした請求項３に記載のカード用コネクタ。
【請求項５】
前記ばね部材は、ベースハウジング１０に設置されている請求項３または４に記載のカード用コネクタ。
【請求項６】
前記ばね部材は、ベースハウジング１０の外部に設置されている請求項３または４に記載のカード用コネクタ。
【請求項７】
前記スライドハウジング３０の外部に配置されるコンタクト片４５が、スライドハウジング３０の底面に沿って固定されたコンタクト片４５とされ、前記ベースハウジングのコンタクト片１６が、片持梁状となって延びるコンタクト片１６とした請求項１に記載のカード用コネクタ。
【請求項８】
前記スライドハウジング３０の外部に配置されるコンタクト片４５が、片持梁状となって延びるコンタクト片４５Ａとされ、前記ベースハウジング１０のコンタクト片が、ベースハウジング１０の上面に沿って固定された装着片１５Ａとした請求項１に記載のカード用コネクタ。
【請求項９】
ベースハウジング１０と、このベースハウジング１０上に、カード７０の挿入位置と接続位置の間でスライド可能に搭載されたスライドハウジング３０とで構成され、
前記スライドハウジング３０に、ベースハウジング１０に設けられた係合肩２３と係合して、挿入位置にあるスライドハウジング３０が接続位置側へスライドするのを制限するロック片８４と、前記スライドハウジング３０に形成されたカード収容空洞４０に側方から突出してカード７０の側端面と摺接可能とした突部８３とを有するロック端子８０が設けられており、
挿入位置にあるスライドハウジング３０のカード収容空洞４０にカード７０を所定の位置まで挿入した時に、カード７０の側端面が前記ロック端子８０の突部８３をカード収容空洞４０から押し出してロック端子８０を弾性変形させ、ロック端子８０のロック片８４が前記係合肩２３から外れてスライドの制限を解除するようにしたことを特徴とするカード用コネクタ。
【請求項１０】
ロック端子８０のロック片８４は、スライドハウジング３０を貫通してベースハウジング１０側に突出し、ベースハウジング１０に形成された逆Ｌ字形のスライド溝２２に収容され、逆Ｌ字形のスライド溝２２の短溝部分２２ｂの内壁が前記係合肩２３を構成している請求項９に記載のカード用コネクタ。
【発明の詳細な説明】
【０００１】
【発明の属する技術分野】
この発明は、ＳＤ（ｓｑｕａｒｅ　ｄｉｇｉｔａｌ）カード、ＩＣカード等のカード状媒体を挿入して接続できるカード用コネクタに関する。
【０００２】
【従来の技術】
従来、カード用コネクタとして、接続用のコネクタと、金属シェルなどのカバー部材でカードの収納部を構成し、カードを挿入口から収納部に挿入すると、挿入完了位置で、カードの接点と接続用のコネクタの端子が係合するようにしたカード用コネクタが知られている（例えば、特開平８−２９３００６号）。
【０００３】
また、シャーシ（ベースハウジング）にホルダ（スライドハウジング）をスライド可能に設置し、カードをホルダに保持させて、ホルダのスライドを伴ってカードを挿入できるようにしたカード用コネクタも知られている（特開２００１−６０２５３号）。ホルダとシャーシの間には、トグルばねが、ホルダのスライドの途中で付勢方向が反転するように設置され、ホルダのスライドの後半には、トグルばねの弾力によってスライドできるようにしている。シャーシには、接続用のコネクタが設置され、ホルダと共にスライドするカードが接続位置に来ると、カードの接点とコネクタの端子が係合するようにしている。
【０００４】
このシャーシにホルダをスライド可能に設置した構造のものでは、ホルダに接続用のコネクタを設置し、カードがホルダに保持された段階でカードの接点とコネクタの端子が係合するようにしたものも提案されている（特開２００１−１３５４１１号）。このホルダに接続用のコネクタを設置したものでは、コネクタとシャーシ若しくはシャーシが取り付けられる基板の間がＦＰＣなどの平形柔軟ケーブルで接続される。したがって、ホルダのスライドの際には、平形柔軟ケーブルが引き回されることになっていた。また、ホルダをスライドさせる時点では、カードと接続用のコネクタが確実に接続された状態にする必要がある為、ホルダには、シャーシ側と係合する規制部材が設けられ、カードの挿入完了によって規制部材の係合が外れるようにしていた。
【０００５】
【発明が解決しようとする課題】
前記のような従来のカード用コネクタにおいて、ホルダに接続用のコネクタを設置し、このコネクタにＦＰＣなどの平形柔軟ケーブルを接続した構成のカード用コネクタは、ホルダのスライドの際に平形柔軟ケーブルが引き回されるので、カード用コネクタ内に平形柔軟ケーブルの引き回しの為の十分なスペースを確保する必要があった。この為、カード用コネクタの小型化、低背化等を図る場合、引き回しの為のスペースが設計上の制約となっていた。また、平形柔軟ケーブルを引き回すと、接続用のコネクタなどとの接続部分、即ち、半田付け部分にストレスがかかり、半田付け部分の剥離を引き起こすので、信頼性が損なわれる問題もあった。更に、ホルダのスライドを制限する規制部材の設置がカード用コネクタの構造を複雑なものとしていた。
【０００６】
この発明は斯かる問題点に鑑みてなされたもので、ベースハウジングにスライドハウジングがスライド可能に設置されたカード用コネクタであって、小型化、低背化等に対応し易く、また、接続の信頼性を向上できる構成のカード用コネクタを提供することを第１の目的としている。また、カードの挿入の際に、スライドハウジングのスライドを制限する構造を簡単な構成で実現したカード用コネクタを提供することを第２の目的としている。
【０００７】
【課題を解決するための手段】
前記の目的のもとになされたこの発明は、ベースハウジングと、このベースハウジング上に、カードの挿入位置と接続位置の間でスライド可能に搭載されたスライドハウジングとで構成され、
前記スライドハウジングには、カード収容空洞が設けられていると共に、カード収容空洞に臨んでカードの接点と係合可能としたコンタクト片と、スライドハウジングの外部に配置されるコンタクト片を備えた端子が設けられており、
前記ベースハウジングには、前記スライドハウジングが接続位置にスライドした時に、スライドハウジングの外部に配置されたコンタクト片と係合するコンタクト片を有する端子が設けられていると共に、
前記スライドハウジングに、ベースハウジングに設けられた係合肩と係合して、挿入位置にあるスライドハウジングが接続位置側へスライドするのを制限するロック片と、前記カード収容空洞に側方から突出してカードの側端面と摺接可能とした突部とを有するロック端子が設けられており、
挿入位置にあるスライドハウジングにカードを挿入して、カードの接点と前記カードの接点と係合可能としたコンタクト片が係合した時に、カードの側端面が前記ロック端子の突部をカード収容空洞から押し出してロック端子を弾性変形させ、ロック端子のロック片が前記係合肩から外れてスライドの制限を解除するようにしたことを特徴とするカード用コネクタである。
【０００８】
【作用】
このように構成されるこの発明のカード用コネクタによれば、スライドハウジングを接続位置にスライドさせた時に、スライドハウジングに設けた端子とベースハウジングに設けた端子が係合し、カードとベースハウジングが実装される回路基板の回路の間を電気的に接続することができる。スライドハウジングのスライドによって引き回されるＦＰＣの如くの平形柔軟ケーブルは介在していないので、平形柔軟ケーブルの引き回しの為のスペースを確保する必要がなく、小型化、低背化等の対応を容易にする。また、平形柔軟ケーブルの引き回しを原因とする信頼性の欠除もなくすることができる。
【０００９】
また、スライドハウジングに設けたロック端子は、カードの側端面と干渉して弾性変形し、スライドの制限を解除する構成であるので、カードをスライドハウジングから抜き出した時には、ロック端子は弾性復帰して再びスライドを制限する状態とすることができる。一つのロック端子を設置しただけの簡単な構成でスライドハウジングのスライドを制限することができる。
【００１０】
【発明の実施の形態】
以下、この発明の実施形態を添付の図を参照して説明する。
【００１１】
図１〜図１４は、第１の実施形態のカード用コネクタである。カード用コネクタは、ベースハウジング１０と、このベースハウジング１０にスライド可能に搭載されたスライドハウジング３０とで構成されている。ベースハウジング１０を筐体５０内の回路基板５１に実装し、スライドハウジング３０に設けられたアーム３１に、筐体５０の側壁５２の長孔５３を通してスライダ５４を連結して、スライダ５４を介してスライドハウジング３０のスライド操作（イジェクト操作）ができるようにされている。
【００１２】
ベースハウジング１０は、絶縁性樹脂を略方形の板状に成形したもので、図１において下方に表れている後端１１側に複数の端子装着溝１２が前端１３に向って形成されて、各端子装着溝１２に、それぞれベース端子１４が装着されている。ベース端子１４は、薄金属板を打ち抜いて、図２に表れているように、横Ｕ字状に成形されたもので、装着片１５と片持梁状のコンタクト片１６を有している。コンタクト片１６を後ろ向きにして、装着片１５を端子装着溝１２に挿入係止して装着されている。装着片１５の端部にはテイル片１７が連設されていて、テイル片１７を回路基板５１に表面半田付けができるようにされている。ベース端子１４の片持梁状となって後方に延びているコンタクト片１６は、先端部に形成したコンタクト部１８がベースハウジング１０の上面より上側に臨むようにされている。
【００１３】
略方形の板状に成形されているベースハウジング１０の前後方向の両側縁には、図３に表れているように、切欠溝１９が略全長に亘って形成されており、スライドハウジング３０側と係合することが可能となっている。また、ベースハウジング１０の底面には回路基板５１側の位置決め孔（図示せず）と係合する為のボス２０が突出して設けてある。
【００１４】
スライドハウジング３０は、絶縁性樹脂を成形した絶縁ハウジング３２と、この絶縁ハウジング３２に被冠した金属板製のシェル３３で構成されている。シェル３３は、絶縁ハウジング３２の上側を覆う頂板３４と、頂板３４の両側縁から垂下した側板３５とで構成されて、側板３５に設けた係止タブ３６を絶縁ハウジング３２に係止させて両者が一体となっている。側板３５は、絶縁ハウジング３２の高さより長くされて、ベースハウジング１０まで延び、下端縁を内側に折曲して形成した係合縁３７が、ベースハウジング１０に形成した切欠溝１９と係合し（図３）、スライドハウジング３０がベースハウジング１０上で前後方向にスライドできるようにされている。尚、前記アーム３１は、シェル３３の一方の側板３５から延びている。
【００１５】
スライドハウジング３０を構成した絶縁ハウジング３２は、端子装着部３８と、互いに対向する一対の側壁３９とで略Ｕ字形に成形されており、側壁３９間をカード収容空洞４０とし、側壁３９の端部間をカードの挿入口４１としている。筐体５０の開口部５５を通してカード７０（ここではＳＤカードが示されている。）を挿入口４１へ差し込むと、カード７０は側壁３９の内壁で案内されてカード収容空洞４０へ挿入されるようになっている。
【００１６】
絶縁ハウジング３２の端子装着部３８には、ベースハウジング１０側のベース端子１４と対応させて、端子装着溝４２が形成されており、各端子装着溝４２にスライド端子４３が装着されている。このスライド端子４３も薄金属板を打ち抜いて成形したもので、図２に表れているように、装着片４４の後端から横Ｕ字状に折り返された第１コンタクト片４５が延び、装着片４４の前端からも第２コンタクト片４６が片持梁状に延びた形状をしている。装着片４４を端子装着溝４２に係合させて装着すると、第１コンタクト片４５は端子装着部３８の下面に形成したコンタクト収容溝４７に収容されて絶縁ハウジング３２の底面と面一となり、また、第２コンタクト片４６はカード収容空洞４０に延びて、コンタクト部４８がカード収容空洞４０に挿入されたカード７０の接点７１と対向して係合できるようにしてある。
【００１７】
上記のように、ベースハウジング１０にスライド可能に搭載されたスライドハウジング３０は、基本的にはカード７０を介して与えられる押し込みの力、あるいは、スライダ５４を介して与えられる引き戻しの力でスライドさせるが、スライドハウジング３０のスライドを付勢できるばね部材が更に設けられている。この実施形態では、ばね部材として、付勢方向を反転できるトグルばね９０が使用されている。
【００１８】
トグルばね９０の為に、前記ベースハウジング１０の前端１３寄りには、図２に表れているように、ばね部材収容凹部２１が設けられ、この中にトグルばね９０を収容している。トグルばね９０が有する第１アーム９１と第２アーム９２を係止させる為に、ベースハウジング１０側に固定ボス９３が設けられ、スライドハウジング３０側にスライドボス９４が設けられている。固定ボス９３は、ばね部材収容凹部２１内に上向きに設けられ、スライドボス９４は、絶縁ハウジング３２の底面に下向きで設けられている。固定ボス９３とスライドボス９４の位置関係は、スライドハウジング３０が、そのスライド範囲の略中央（図１２参照）にスライドした時に、固定ボス９３とスライドボス９４が横一線に並ぶ関係としてある。
【００１９】
図１に表れているように、スライドハウジング３０を構成した絶縁ハウジング３２の一方（図の左側）の側壁３９には、細長い溝状のロック端子収容凹部６０が側壁３９に沿って形成されており、このロック端子収容凹部６０に、スライドハウジング３０のスライドを制限するためのロック端子８０が設置されている。図７〜図９はこのロック端子８０の設置部分を拡大して示している。ロック端子収容凹部６０は、一端（前端側）が狭幅とされてロック端子８０の装着溝６１とされていると共に、他端側の底部にベースハウジング１０側に貫通する開口部６２が形成されている。また、カード収容空洞４０とこのロック端子収容凹部６０を仕切っている壁の中間部には、カード収容空洞４０に連通する切欠開口部６３が形成されている。
【００２０】
ロック端子８０は、前記ベース端子１４やスライド端子４３と同様に、薄金属板を打ち抜いて成形したもので、ロック端子収容凹部６０の装着溝６１に装着して固定される装着片８１から作動ビーム８２が延びた形状をしている。作動ビーム８２は、前記切欠開口部６３と対応する中間部分が弧状に成形されて突部８３とされ、突部８３が切欠開口部６３を通してカード収容空洞４０に突出するようにされている。また、作動ビーム８２の先端からは、ロック片８４が垂下している。このロック片８４は、ロック端子収容凹部６０の底部に形成した開口部６２を通してベースハウジング１０側に突出し、ベースハウジング１０に形成したスライド溝２２内に突入する長さを有している（図８参照）。
【００２１】
作動ビーム８２に形成し、切欠開口部６３を通してカード収容空洞４０に突出するようにした突部８３をカード収容空洞４０から押し出すと、作動ビーム８２はカード収容空洞４０から離れる方向に弾性変形し、また、突部８３を押し出す力が除かれると作動ビーム８３が弾性復帰して、突部８３がカード収容空洞４０に再び突出するようになっている。そして、このような作動ビーム８２の変形および復帰に従って、ロック片８４は開口部６２の中を移動するようにしている。
【００２２】
スライドハウジング３０から突出するロック片８４を受け入れるべく、ベースハウジング１０に形成されているスライド溝２２は、図９に示されているように、逆Ｌ字状をしている。スライドハウジング３０のスライド方向に沿う長溝部分２２ａと、長溝部分２２ａに略直角に連続する短溝部分２２ｂとからなっている。短溝部分２２ｂは、前記ロック端子収容凹部６０に形成した方形の開口部６２と略同一の大きさとされ、スライドハウジング３０がベースハウジング１０の前端１３側（カードの挿入位置）に位置している時には、短溝部分２２ｂと開口部６２が互いに重なり合うようにされている。
【００２３】
かくして、スライドハウジング３０がベースハウジング１０の前端１３側に位置し、ロック端子８０の突部８３がカード収容空洞４０に突出している状態では、ロック端子８０のロック片８４はスライド溝２２の短溝部分２２ｂ内に突入して、短溝部分２２ｂの内壁で構成される係合肩２３と係合し、スライドハウジング３０がベースハウジング１０の後端１１側へ向かってスライドするのを制限できるようにされている。
【００２４】
次に、上記のように構成されたカード用コネクタにカード７０を挿入して接続する時の動作を図１０以下の図も参照して説明する。図１のように、スライドハウジング３０がベースハウジング１０の前端１３側の挿入位置にあり、カード収容空洞４０にカード７０が未だ挿入されていない状態（図１でカードを取り除いた状態）では、前記の通り、ロック端子８０のロック片８４がスライド溝２２の係合肩２３に係合しており、スライドハウジング３０は後端１１側へのスライドが制限される。また、トグルばね９０のアームを係合させたスライドボス９４が固定ボス９３よりも前端１３側にあるので、スライドハウジング３０はトグルばね９０の弾発力で前端１３の方向に付勢される。
【００２５】
このような初期状態のスライドハウジング３０に対して、カード７０を挿入口４１を通してカード収容空洞４０に挿入する。スライドハウジング３０はスライドが制限されているので、カード７０は、その前端面７２がカード収容空洞４０の内端面４０ａに当たるまで確実に挿入することができる。図１は、このようにして挿入位置にあるスライドハウジング３０にカード７０を挿入した状態を表している。カード７０の前端面７２がカード収容空洞４０の内端面４０ａに当たるまで挿入するとカード収容空洞４０に片持梁状となって臨んでいるスライド端子４３の第２コンタクト片４６がカード７０で下圧されて、コンタクト部４８とカード７０の接点７１が適度の接触圧で確実に係合することになる（図２）。
【００２６】
図１０および図１１は、スライドが制限されているスライドハウジング３０にカード７０を挿入する際のロック端子８０の動作を表している。即ち、カード７０が、その前端面７２がカード収容空洞４０の内端面４０ａに当接するまで挿入されると、カード７０の側端面７３がロック端子８０の突部８３をカード収容空洞４０から押し出すように作用する。つまり、突部８３が突出する位置は、カード７０の側端面７３の前端寄りの部分の最終位置に対応させてあるのである。このように、ロック端子８０の突部８３が押し出されると、作動ビーム８２は、図のように弾性変形し、そして、ロック片８４と係合肩２３の係合が図１１のように外れ、ロック端子８０によるスライドの制限は解除される。
【００２７】
カード７０を上記のようにして挿入した後、カード７０を後方に向けてトグルばね９０の付勢力に打ち勝つ力で更に押し込むと、カード７０とスライドハウジング３０を後方にスライドさせることができる。ロック端子８０のロック片８４はスライド溝２２の長溝部分２２ａの中を移動する。このカード７０とスライドハウジング３０のスライドの途中を示したのが図１２である。この過程で、スライドハウジング３０に設けたスライドボス９４も後方に移動するので、トグルばね９０は、弾発力を蓄積させながら、第１、第２アーム９１、９２の向きを変位させていく。
【００２８】
図１２に示したように、スライドボス９４と固定ボス９３が横一線に並ぶ位置を越えて、更にカード７０を押し込むと、スライドボス９４は固定ボス９３より前方へ移動し、この時点でトグルばね９０の付勢方向は反転する。スライドハウジング３０はトグルばね９０によって後方へ付勢されるようになる。この結果、カード７０は吸い込まれるようにしてスライドハウジング３０と共に後方へ移動することになる。
【００２９】
トグルばね９０は、スライドハウジング３０を図６、１３に示した接続位置までスライドさせる。スライドハウジング３０がこの接続位置までスライドすると、スライドハウジング３０の底面に露出しているスライド端子４３の第１コンタクト片４５が、図１４に示されているように、ベースハウジング１０側のベース端子１４のコンタクト片１６に乗り上げるようにしてコンタクト片１６を下圧し、コンタクト部１８と第２コンタクト片４６が適度の接触圧で係合して電気的に導通する。この結果、ベース端子１４が接続（半田付け）される回路基板５１内の回路とカード７０を電気的に接続することができる。
【００３０】
カード７０の取り出しは、スライダ５４を介して行うことができる。スライドハウジング３０を図１３の接続位置から図１２の中間位置を若干越えた位置までスライドさせると、再びトグルばね９０の付勢方向が反転し、トグルばね９０の付勢力でスライドハウジング３０およびカード７０を図１の挿入位置までスライドさせることができる。図１の状態では、カード７０の基端側が筐体５０の開口部５５から突出するので、基端側を把持してカード７０を取り出すことができる。カード７０をカード収容空洞４０から取り出すと、ロック端子８０の突部８３を押し出している力が除かれるので、作動ビーム８２は弾性で図７、９の状態に復帰する。したがって、ロック片８４はスライド溝２２の係合肩２３と再び係合するようになり、スライドハウジング３０はスライドが制限された状態となる。
【００３１】
図１５および図１６は、第２の実施形態を示している。この実施形態と第１の実施形態は、ベース端子１４Ａおよびスライド端子４３Ａの形状のみが異なっているので、スライドハウジング３０が挿入位置にある時（図１５）と接続位置にある時（図１６）のそれぞれ断面図だけを示している。第１の実施形態と同一の部材には同一の符号を付して説明は省略する。
【００３２】
ベースハウジング１０に装着されたベース端子１４Ａは、ベースハウジング１０の端子装着溝１２に装着されて上面に露出している装着片１５Ａがコンタクト片も構成している。一方、スライドハウジング３０に装着されたスライド端子４３Ａは、装着片４４Ａの後端に横Ｕ字状に折り返された第１コンタクト片４５Ａが斜め下方に向かって片持梁状となって延びて、スライドハウジング３０の下面よりも下方に臨んだ形状とされている。
【００３３】
この第２の実施形態では、スライドハウジング３０が図１６の接続位置までスライドすると、スライド端子４３Ａの第１コンタクト片４５Ａがベース端子１４Ａのコンタクト片を兼ねている装着片１５Ａの上に乗り上がるようにして弾性変形し、第１コンタクト片４５Ａと装着片１５Ａが適度の接触圧で電気的に係合する。
【００３４】
次に、図１７〜図１９は第３の実施形態を示している。この実施形態は、ベースハウジング１０Ｂの薄型化を考慮したもので、スライドハウジング３０Ｂを付勢するトグルばね９０をベースハウジング１０Ｂの外部、即ち、回路基板５１に設置するようにしたものである。したがって、固定ボス９３Ｂが回路基板５１上に設けられ、スライドボス９４Ｂはスライドハウジング３０Ｂのシェル３３Ｂに設けた水平タブ４９に設けられている。
【００３５】
また、ベースハウジング１０Ｂに設けたベース端子１４Ｂは、ベースハウジング１０Ｂの上面に沿って片持梁状に延びるコンタクト片１６Ｂが弧状に形成されており、また、テイル片１７Ｂは回路基板５１に対してディップ半田付けができるようにピン状とされている。スライドハウジング３０Ｂに設けたスライド端子４３Ｂは、第２コンタクト片４６Ｂが後方に向って略水平に延びて、スライドハウジング３０Ｂが接続位置にスライドすると、第２コンタクト片４６Ｂがベース端子１４Ｂのコンタクト片１６Ｂの弧状の湾曲部分に乗り上げて弾接するようにしてある。その他の部分は第１の実施形態と略同様であるので、同一部分には同一の符号を付して説明は省略する。
【００３６】
この実施形態もこれまで説明したのと同様で、スライドハウジング３０Ｂが図の挿入位置にある状態で、カード７０の接点７１とスライド端子４３Ｂを係合させ、そして、スライドハウジング３０Ｂを接続位置へスライドさせて、スライド端子４３Ｂとベース端子１４Ｂを係合させて、最終的にカード７０と回路基板５１を接続することができる。
【００３７】
【発明の効果】
以上に説明の通り、この発明によれば、スライドハウジングが接続位置にスライドした時にスライドハウジングの端子とベースハウジングの端子を係合するようにして、スライドハウジングのスライドによって引き回される平形柔軟ケーブルを介在しない構成としたので、小型化、低背化等の設計上の自由度を得ることができ、また、スライドハウジングのスライドで引き回される平形柔軟ケーブルを原因とする信頼性の欠除を回避して信頼性の高いカード用コネクタを構成できる効果がある。
また、カードの側端面と干渉して弾性変形するようにしたロック端子によって挿入位置にあるスライドハウジングのスライドを制限し、カードを適正に挿入できるようにしたので、簡単な構造でカードの接続を確実にできるカード用コネクタを構成できる効果がある。
【図面の簡単な説明】
【図１】この発明の第１の実施形態のシェルを除いて示した平面図であり、スライドハウジングが挿入位置にある時の図である。
【図２】図１の状態の拡大縦断側面図である。
【図３】第１の実施形態の、挿入口側から見た正面図である。
【図４】第１の実施形態の平面図である。
【図５】第１の実施形態の側面図である。
【図６】同じく第１の実施形態の側面図で、スライドハウジングが接続位置にある時の図である。
【図７】第１の実施形態のロック端子の設置部分の拡大平面図である。
【図８】図７のＡ−Ａ線に沿って示した断面図である。
【図９】図７の状態におけるロック端子とスライド溝との関係を説明する図である。
【図１０】第１の実施形態のロック端子の設置部分の拡大平面図で、カードの挿入によって弾性変形した状態の図である。
【図１１】図１０の状態におけるロック端子とスライド溝の関係を説明する図である。
【図１２】第１の実施形態で、スライドハウジングが中間位置までスライドした時の、シェルを除いて示した平面図である。
【図１３】第１の実施形態で、スライドハウジングが接続位置までスライドした時の、シェルを除いて示した平面図である。
【図１４】図１３の状態の拡大縦断側面図である。
【図１５】この発明の第２の実施形態の、スライドハウジングが挿入位置にある時の拡大縦断側面図である。
【図１６】第２の実施形態の、スライドハウジングが接続位置にある時の拡大縦断側面図である。
【図１７】この発明の第３の実施形態の、シェルを除いて示した平面図である。
【図１８】第３の実施形態の、挿入口側から見た正面図である。
【図１９】第３の実施形態の縦断側面図である（但し、トグルばねも示されている）。
【符号の説明】
１０、１０Ｂ　ベースハウジング
１４、１４Ａ、１４Ｂ　ベース端子
１５、１５Ａ　装着片
１６、１６Ｂ　コンタクト片
１８　　　　　コンタクト部
２１　　　　　ばね部材収容凹部
２２　　　　　スライド溝
２２ａ　　　　長溝部分
２２ｂ　　　　短溝部分
２３　　　　　係合肩
３０、３０Ｂ　スライドハウジング
３２　　　　　絶縁ハウジング
３３　　　　　シェル
４０　　　　　カード収容空洞
４０ａ　　　　内端面
４１　　　　　挿入口
４３、４３Ａ、４３Ｂ　スライド端子
４５、４５Ａ　第１コンタクト片
４６、４６Ｂ　第２コンタクト片
４８　　　　　コンタクト部
５１　　　　　回路基板
６０　　　　　ロック端子収容凹部
６２　　　　　開口部
６３　　　　　切欠開口部
７０　　　　　カード
７１　　　　　接点
７２　　　　　前端面
７３　　　　　側端面
８０　　　　　ロック端子
８２　　　　　作動ビーム
８３　　　　　突部
８４　　　　　ロック片
９０　　　　　トグルばね
９３、９３Ｂ　固定ボス
９４、９４Ｂ　スライドボス
【図１】
2004031151.tif 000003
【図２】
2004031151.tif 000004
【図３】
2004031151.tif 000005
【図４】
2004031151.tif 000006
【図５】
2004031151.tif 000007
【図６】
2004031151.tif 000008
【図７】
2004031151.tif 000009
【図８】
2004031151.tif 000010
【図９】
2004031151.tif 000011
【図１０】
2004031151.tif 000012
【図１１】
2004031151.tif 000013
【図１２】
2004031151.tif 000014
【図１３】
2004031151.tif 000015
【図１４】
2004031151.tif 000016
【図１５】
2004031151.tif 000017
【図１６】
2004031151.tif 000018
【図１７】
2004031151.tif 000019
【図１８】
2004031151.tif 000020
【図１９】
2004031151.tif 000021